(57)【特許請求の範囲】
【請求項１】
多数の製品群を製造する製造工程を管理する製造工程管理システムにおいて、
前記製造工程は異なる帳票を組み合わせて封筒に封入する帳票の封緘工程を少なくとも含むシステムであって、
当該帳票を特定する識別コードを帳票に付与する識別コード付与手段と、
前記製品群である帳票中から選び出した帳票の識別情報を読み取るリーダと、
前記リーダが前記識別コードを読み取ったことをトリガとして当該帳票に係わる画像の撮影を始め、封緘後の封筒の識別コードを読み取ったことをトリガとして撮影の停止とする作業単位で撮像する撮像手段と、
前記撮像手段で撮像したときの工程を特定する工程特定情報、撮像したときの時刻を特定する時刻特定情報、ならびに、撮像したときの製品を特定する識別コード、からなる付加情報を取得する付加情報取得手段と、
前記撮像手段によって撮像した画像情報と前記付加情報を関連付けて記憶するデータベースと、
前記データベースに記憶された画像情報を前記付加情報と関連付けて閲覧する閲覧手段と、
からなることを特徴とする製造工程管理システム。
【請求項２】
前記工程で撮像される画像には、当該工程の作業員の動作が含まれることを特徴とする請求項１記載の製造工程管理システム。
【請求項３】
前記撮像手段は、ビデオカメラであることを特徴とする請求項１または２記載の製造工程管理システム。
【請求項４】
前記識別コードは、帳票毎に付与されたバーコードまたは二次元コードであって、各帳票の印刷と同時に付与されることを特徴とする請求項１〜３いずれか一項に記載の製造工程管理システム。
【発明の詳細な説明】
【技術分野】
【０００１】
本発明は、製品の製造工程において、動画または静止画のカメラにより製造工程の画像を記録し、個々の製品の製造過程をトレースする製造工程管理システムに関する。
【背景技術】
【０００２】
複数の構成要素（部品）からなる製品や多品種の製品を作業者が介在して組み立てる製造工程では、作業の間違いが発生し易く、これによる不良品を発見することは工程管理上極めて重要である。特に、組み立て後の検査では不良が発見できないような製品では、製造の過程の過程を監視することが必須であり、作業の手順を画像として記録しながら作業の適否を判定する手法が種々用いられている。
特許文献1は、薬局業務の監視システムであり、監視カメラの画像とＲＦＩＤタグを組み合わせ、業務に用いる搬器に付したＲＦＩＤによる位置情報と監視カメラによる画像を紐付けして記録することを特徴とし、事故発生時等における円滑な作業検証を可能としている。
【先行技術文献】
【特許文献】
【０００３】
【特許文献１】特開２００７−１５１００１号公報
【０００４】
しかし、複数の部品を組み立てる作業や、多数の品種を組み立てる工程を管理するには、個々の部品までのトレースが必要となり、特許文献１のＲＦＩＤとリーダライタを用いる方法のように位置情報で正否を判断することでは不十分である。
【発明の概要】
【発明が解決しようとする課題】
【０００５】
上記の組み立て後の検査では不良が発見できないような製品の製造工程としては、例えば、個人宛の帳票の封緘工程がある。これは、個人毎に異なる帳票を組み合わせ（ピッキングという）、個々の宛先の封筒に封入する作業を伴う。したがって、これを監視するには、個々の帳票を判別し、組み合わせの適否を判定し、かつ、これらが適正な封筒に封入されることまでを追跡（トレース）する必要がある。
【０００６】
そこで、本発明は、上記帳票の封緘工程のようなピッキング作業工程において、各部品を判別し、所定の製品として完成するまでの過程をトレースできるような工程管理システムを提供することを課題とする。
【課題を解決するための手段】
【０００７】
上記課題を解決する本発明の製造工程管理システムは、多数の製品群を製造する製造工程を管理する製造工程管理システムにおいて、前記製造工程は異なる帳票を組み合わせて封筒に封入する帳票の封緘工程を少なくとも含むシステムであって、当該帳票を特定する識別コードを帳票に付与する識別コード付与手段と、前記製品群である帳票中から選び出した帳票の識別情報を読み取るリーダと、前記リーダが前記識別コードを読み取ったことをトリガとして当該帳票に係わる画像の撮影を始め、封緘後の封筒の識別コードを読み取ったことをトリガとして撮影の停止とする作業単位で撮像する撮像手段と、前記撮像手段で撮像したときの工程を特定する工程特定情報、撮像したときの時刻を特定する時刻特定情報、ならびに、撮像したときの製品を特定する識別コード、からなる付加情報を取得する付加情報取得手段と、前記撮像手段によって撮像した画像情報と前記付加情報を関連付けて記憶するデータベースと、前記データベースに記憶された画像情報を前記付加情報と関連付けて閲覧する閲覧手段と、からなることを特徴とする。
【０００８】
また、前記工程で撮像される画像には、当該工程の作業員の動作が含まれることを特徴とする。
前記撮像手段は、ビデオカメラであることを特徴とする。
さらに、前記識別コードは、帳票毎に付与されたバーコードまたは二次元コードであって、各帳票の印刷と同時に付与されることを特徴とする。
【発明の効果】
【０００９】
本発明による製造工程管理システムによれば、撮像手段により取り込んだが画像情報が、付加情報と関連付けられ、特定の製品の製造工程である帳票の封緘工程の情報として記録されるため、これを閲覧することにより、該製品の製造過程の適否が判別できる。
例えば、画像情報の分析により、不良品発生の解析、作業性の改善、能率の向上などに資することができる。
【図面の簡単な説明】
【００１０】
【図１】本発明の製造工程管理システムの構成図
【図２】製造前のフローを示す図
【図３】製造のフローを示す図
【発明を実施するための形態】
【００１１】
まず、図１を用いて、本発明の製造工程管理システムの概要を説明する。
図１は、本発明の製造工程管理システムを表わす図である。なお、ここでは、製造工程として帳票のピッキング作業を例としており、製造工程管理システム１０はピッキング作業にかかわる記録および閲覧を担う。
【００１２】
製造工程管理システム１０は、製造に係わるデータ処理やデータの記憶を担うサーバ１２、作業に係わる画像を撮影する撮像手段としてのカメラ１３、製品に付与された識別コードを読み取るリーダ１４、特定の製品の作業工程に係わる画像を閲覧する閲覧端末１５などの機器で構成され、これら機器はネットワーク１６を介して相互に接続されている。
サーバ１２は、サーバ１２に繋がれる管理端末１２０からの指示により、製造工程管理システム全体を制御する。
【００１３】
作業者１１は、生産機器２０から出力されるｎ種類の製品群（帳票１〜ｎ）の中から所定の帳票を取り出し製品３０とする。さらに製品３０を所定の封筒に封入し封書２５を仕上げる。
この間、カメラ１３は、作業者１１が実行する作業を、作業者１１を含めて撮影し、後述の付加情報と関連付けてサーバ１２に付属するデータベース１２１に格納する。このようにして格納された画像情報は後述の付加情報と関連付けられており、後刻、特定の製品の作業状況を取り出し、閲覧手段である閲覧端末１５に映し出すことが可能となる。
【００１４】
以下、図２および３を用いて本発明の製造工程管理システム１０の動作を、工程を分けて、詳説する。なお、図２は、作業者１１がピッキング作業を始める前までの工程、すなわち、「識別コードの付与」から「生産」までのフローを表わし、図３は、ピッキング作業と、画像の記録に係わるフローを表わす。
【００１５】
＜識別コードの付与＞
ｎ種類の製品群２１（帳票１〜ｎ）には個々の製品を特定するための識別コード２４が付与されている。識別コード２４は、予め製品毎に割り振られた管理情報であり、図１の構成ではサーバ１２で生成され、製品管理情報の一つとして、サーバ１２が持つデータベース１２１に格納されている。製品管理情報とは、製造する製品に係わる情報の集合であり、品目ＩＤ、作業番号などの作業ＩＤ、製品ＩＤである識別コードやこれらに係わる付帯情報からなり、これらが紐付けされてデータベース１２１としてサーバ１２に格納される。
なお、識別コード２４は、生産機器２０が生産する製品群（帳票１〜ｎ）に付与されるよう、予め生産機器２０に送付される（Ｓ２１）。こうして、生産機器２０は、識別コード２４を付加した製品群を生産する（Ｓ２２）。
このように、生産に先立って、サーバ１２は、識別コードの生成、保存、付与などを実行し、識別コード付与手段としての機能を果たす。
【００１６】
なお、識別コードは各帳票の作成と同時に加工することが望ましく、識別コードとしてバーコード２４１や二次元コード２４２を用いれば、帳票の印刷と識別コードの印刷を同時に行うことができ好都合である。特に二次元コード２４２は、保持できる情報量が大きいため、上記のような多品種の製品の製造工程の管理に用いるのに好適である。
【００１７】
＜ピッキング＞
生産機器２０が出力した製品群２１（帳票１〜ｎ）に対し、作業者は製品群の中から所定の製品３０を選び出す（Ｓ３１）。続いて、リーダ１４を用いて製品３０の識別コード２４を読み取らせる（Ｓ３２）。
なお、製品３０は、図１に示したような単品の帳票に限らず複数の帳票であってもよい。この場合、リーダ１４による読み取りは製品となる帳票の数だけ行うことになる。
また、どの帳票を取り出すべきか等の作業指示を、前記作業ＩＤに基づき、閲覧端末１５から得ることも可能である。
【００１８】
＜付加情報取得＞
リーダ１４が識別コード２４を読み取ったことをトリガとしてカメラ１３が撮影を始める（Ｓ３３）。撮影される画像情報は、識別コード２４や時刻（時刻特定情報）などとともにデータベース１２１に格納されるが、さらに、読み取られた識別コード２４をキーとして、データベース１２１に格納されている製品管理情報と紐付けすることにより、品目ＩＤ、作業ＩＤなどの工程特定情報との紐付けが可能となる。すなわち、サーバ１２は、工程特定情報、時刻特定情報、識別コードなどを付加情報として取得し、カメラ１３から取り込んだ画像情報と関連付け、あらためてデータベース１２１に格納すればよい（Ｓ３４）。
【００１９】
＜封入＞
図１の例では、一つの作業単位は封緘を持って終了するが、封筒に前記作業ＩＤに基づく作業識別コードを付与しておけば、同識別コードをリーダ１４で読み取ることで（Ｓ３５）、これをトリガとしてカメラ１３の撮像の停止とすることができる（Ｓ３６）。また、読み取った作業識別コードを製品管理情報と照合することにより、封書２５と中身である製品３０とが仕様の通り合致しているかの判定が可能となる。
【００２０】
＜閲覧＞
データベース１２１に格納された画像情報は、同情報に関連付けられた付加情報とともに閲覧端末１５に映し出す。例えば、特定の作業の場面を取り出す場合は、閲覧端末１５を操作して作業ＩＤを入力して関連する画像を探し出せばよいが、他に、リーダ１４を利用して作業識別コードから探すなどの方法も可能となる。
なお、カメラ１３が撮影した画像情報は動画、静止画の何れでも利用可能であり、カメラ１３がビデオカメラであれば、動画、静止画のいずれも撮影可能であり好都合である。静止画の場合は、所定のサイクルでコマ撮りすることとなる。
【符号の説明】
【００２１】
１０  製造工程管理システム
１１  作業者
１２  サーバ
１３  カメラ
１４  リーダ
１５  閲覧端末
１６  ネットワーク
２０  生産機器
２４  識別コード
３０  製品
１２０  管理端末
１２１  データベース
【図１】
0005609301.tif 000002
【図２】
0005609301.tif 000003
【図３】
0005609301.tif 000004